(57)【要約】      （修正有）【課題】装着者の視覚的行動に依存して、装着者により選択されたフレームに取り付けられる累進眼科用レンズの光学的設計パラメータを判断する方法及び測定装置を提供する。【解決手段】本方法は、ａ）装着者が第１の作業距離で視覚的タスクを行う状況に置かれる工程と、ｂ）この視覚的タスク中に、第１の作業距離における装着者の少なくとも２つの凝視方向が装着者の頭の基準系において判断される工程と、ｃ）フレーム１０又はフレーム１０に取り付けられることを意図された眼科用レンズに関係する表面の相対位置が装着者の頭のこの基準系において判断される工程と、ｄ）工程ｂ）において判断された第１の作業距離における各凝視方向について、第１の作業距離におけるこの凝視方向と表面との交点Ｉ１，Ｉ２を判断して、この表面上のこれらの交点のマップを確立する工程と、ｅ）このマップから、求める光学的設計パラメータが導出される工程とを含む。【選択図】図１
2019194702.tif 000002
【特許請求の範囲】
【請求項１】
装着者の視覚的行動に依存して、前記装着者により選択されたフレーム（１０）を備えるように意図された累進眼科用レンズの少なくとも１つの光学的概念パラメータを判断する方法であって、
ａ）前記装着者を第１の作業距離で視覚的タスクを行う状況に置く工程と、
ｂ）前記装着者の頭の基準系における前記第１の作業距離における前記装着者の少なくとも２つの凝視方向（Ｄ１、Ｄ２）を前記視覚的タスク中に判断する工程と、
ｃ）前記フレーム（１０）又は前記フレーム（１０）を備えるように意図された眼科用レンズに関連付けられた表面（ＰＭ）又は線の、前記装着者の頭の前記基準系における相対位置を判断する工程と、
ｄ）工程ｂ）において判断された前記第１の作業距離における各凝視方向（Ｄ１、Ｄ２）について、前記第１の作業距離における前記凝視方向（Ｄ１、Ｄ２）と前記表面（ＰＭ）又は前記線との交点を判断して、前記表面（ＰＭ）又は前記線との前記交点（Ｉ１、Ｉ２、Ｉ３、Ｉ４）のマップを確立する工程と、
ｅ）前記マップから、前記求める光学的概念パラメータを導出する工程と、
を含む方法。
【請求項２】
工程ａ）において、前記第１の作業距離は近方視力距離であり、及び前記装着者は読み取り又は書き込みタスク、或いは相互作用型タスク又は観察タスクを行う、請求項１に記載の方法。
【請求項３】
工程ｃ）において、前記表面は、前記眼科用レンズの平均面、前記フレームのリムの平均面（ＰＭ）、前記フレームの前記リム群の平均面、前記眼科用レンズの後面又は前面のうちの１つである、請求項１又は２に記載の方法。
【請求項４】
工程ａ）において、前記装着者は、ターゲット（Ｃ１、Ｃ２）であって、その位置が画像捕捉装置（２１）に関連付けられた基準系において既知であるターゲット（Ｃ１、Ｃ２）を眼で追随し、且つ工程ｂ）において、前記画像捕捉装置（２１）を使用して、前記第１の作業距離における前記様々な凝視方向（Ｄ１、Ｄ２）に対応する前記ターゲットの様々な位置の前記装着者の頭の画像が捕捉される、請求項１〜３のいずれか一項に記載の方法。
【請求項５】
工程ｂ）において、捕捉画像毎に、前記装着者の少なくとも一方の眼の回転中心（ＣＲＯ）の位置が、前記装着者の頭に関連付けられた前記基準系において判断され、且つ前記位置から、前記第１の作業距離における各凝視方向（Ｄ１、Ｄ２）が、前記回転中心（ＣＲＯ）とその対応位置の前記ターゲット（Ｃ１、Ｃ２）とを結ぶ直線であるとして導出される、請求項４に記載の方法。
【請求項６】
工程ｂ）において、前記装着者が前記眼科用レンズを取り付けられた前記フレームを装着している間に捕捉された画像毎に、前記装着者の少なくとも一方の眼の前記回転中心（ＣＲＯ）の前記位置が、前記装着者の頭に関連付けられた前記基準系において判断され、且つ前記位置から、前記眼科用レンズのプリズム偏差を考慮して前記第１の作業距離における前記凝視方向が、前記眼の前記回転中心と前記ターゲットとを結ぶ光学路であるとして導出される、請求項４に記載の方法。
【請求項７】
工程ｂ）において、前記装着者の前記眼の前記回転中心の平均位置は、前記装着者の頭に関連付けられた前記基準系においてほぼ推定される、請求項５又は６に記載の方法。
【請求項８】
工程ｂ）において、前記眼の前記回転中心の基準位置は、予備工程において前記装着者の頭に関連付けられた前記基準系において測定され、及び前記基準位置が記録される、請求項５又は６に記載の方法。
【請求項９】
工程ｂ）において、前記装着者の各画像は、前記ターゲットが前記画像捕捉装置の光軸上で発見されると捕捉される、請求項４に記載の方法。
【請求項１０】
工程ｄ）において、前記第１の作業距離における前記凝視方向と前記表面との前記交点は、前記眼科用レンズの像内の前記装着者の前記眼の瞳孔の像の位置を前記捕捉画像内で直接測定することにより判断される、請求項９に記載の方法。
【請求項１１】
工程ａ）において、前記装着者は前記選択された眼鏡フレームを備え、且つ工程ｃ）において、前記表面又は前記線の前記位置は、前記装着者の頭の前記基準系において、前記視覚的タスク中の前記装着者の頭の少なくとも１つの捕捉画像から判断される、請求項１〜１０のいずれか一項に記載の方法。
【請求項１２】
工程ｃ）において、前記表面又は前記線の前記位置は、前記装着者の頭の前記基準系において、データベースから判断される、請求項１〜１０のいずれか一項に記載の方法。
【請求項１３】
工程ｅ）において、以下の量：近方視力凝視の降下角度（Ａ１、Ａ２）の平均値、前記判断された交点（Ｉ１、Ｉ２、Ｉ３、Ｉ４）のうちの少なくともいくつかの位置を含む前記眼科用レンズ（３０）の使用ゾーン（ＺＵ）の寸法及び／又は位置、前記使用ゾーン（ＺＵ）内の前記交点の位置の分布のうちの少なくとも１つが判断される、請求項１〜１２のいずれか一項に記載の方法。
【請求項１４】
工程ｅ）において、以下の光学的概念パラメータ：累進長（ＬＰ、ＬＰ１、ＬＰ２）及び／又はインセット及び／又は読み取り距離及び／又は近方視力ゾーンの位置のうちの少なくとも１つが判断される、請求項１〜１３のいずれか一項に記載の方法。
【請求項１５】
前記第１の作業距離における少なくとも２つの前記凝視方向（Ｄ１、Ｄ２）は、水平面内の投影内で少なくとも５度の角度だけ離間される、請求項１〜１４のいずれか一項に記載の方法。
【請求項１６】
工程ｂ）において、前記第１の作業距離における少なくとも４つの異なる凝視方向であって、そのうちの少なくとも２つが非零角度だけ水平方向に離間される、少なくとも４つの異なる凝視方向が判断される、請求項１〜１５のいずれか一項に記載の方法。
【請求項１７】
ａ’）前記装着者を第２の作業距離で視覚的タスクを行う状況に置く工程と、
ｂ’）前記第２の作業距離における前記装着者の少なくとも１つの凝視方向を前記視覚的タスク中に判断する工程と
がさらに行われ、工程ｅ）において、前記第２の作業距離における前記装着者の前記凝視方向が、前記求める光学的概念パラメータを判断するために考慮される、請求項１〜１６のいずれか一項に記載の方法。
【請求項１８】
工程ａ）において、前記装着者は近方視力視覚的読み取りタスクを行い、且つ工程ｅ）において、工程ｄ）で判断された前記マップから、前記レンズの近方視力用のゾーン、及び／又は前記読み取りタスク中の前記装着者の少なくとも一方の眼の移動の振幅、及び／又は前記読み取りタスク中の前記装着者の頭の移動の振幅、及び／又は前記読み取りタスク中の所定方向の前記装着者の眼の前記移動の前記振幅と、前記眼の前記移動の最大振幅との比に等しい眼−頭係数が導出される、請求項１〜１７のいずれか一項に記載の方法。
【請求項１９】
請求項１〜１８のいずれか一項に記載の方法を実施する測定装置であって、
−  画像捕捉手段（２１）と、
−  移動ターゲット（Ｃ１、Ｃ２）であって、その位置が前記画像捕捉装置（２１）に関連付けられた基準系において既知である移動ターゲット（Ｃ１、Ｃ２）を表示する手段（２０）であって、前記ターゲット（Ｃ１、Ｃ２）が前記表示手段（２０）上に所定のトリガ位置を有する場合に画像捕捉をトリガするようにプログラムされた手段と、
を含む測定装置。
【発明の詳細な説明】
【技術分野】
【０００１】
本発明は累進眼科用レンズの光学的概念パラメータを判断する方法に関する。
【背景技術】
【０００２】
眼科用累進レンズは、装着者が眼鏡を取り換えることなく様々な視覚距離に適応化された度数補償の恩恵を受けることができるようにする。眼科累進レンズはまた、例えば乱視などの他の視覚障害を矯正し得る。
【０００３】
累進眼科用レンズはレンズの表面全体にわたって可変度数を有する。
【０００４】
例えば、第１の平均度数値を有する遠方視力用の第１の視力ゾーン、第２の平均度数値を有する近方視力用の第２の視力ゾーン、及びこれらの２つのゾーン間の中間視力用の第３の視力ゾーンが設けられる。各視力ゾーンは累進焦点通路（ｐｒｏｇｒｅｓｓｉｏｎ  ｃｏｒｒｉｄｏｒ）と呼ばれその曲率は徐々に変化する。
【０００５】
第１の平均度数値と第２の平均度数値の差はレンズの加入度（ｐｏｗｅｒ  ａｄｄｉｔｉｏｎ）に等しい。
【０００６】
取り付け用十字（ｆｉｔｔｉｎｇ  ｃｒｏｓｓ）は装着者の眼の前にレンズを位置決めするための基準点であり、その位置はレンズの製造者により予め定義される。
【０００７】
遠方視力用の第１のゾーンは遠方視力用の基準点を中心とし、その位置は製造者により所与のレンズに対し予め決められている。
【０００８】
近方視力用の第２のゾーンは近方視力用の基準点を中心とし、その位置は製造者により所与のレンズに対し予め決められている。
【０００９】
遠方視力用の第１のゾーンと近方視力用の第２のゾーンとは累進長（ｐｒｏｇｒｅｓｓｉｏｎ  ｌｅｎｇｔｈ）と呼ばれる距離だけ隔てられる。
【００１０】
累進長は、眼鏡の製造者により定義される取り付け用十字と近方視力基準点の位置との間の垂直距離として定義され得る。
【００１１】
レンズの垂直及び水平方向は、選択されたフレーム内の装着者による使用条件下のレンズの位置に依存して定義される。
【００１２】
レンズの累進長は眼科用レンズの取り付け高さに依存して調整されなければならない。
【００１３】
眼科用レンズの取り付け高さは、選択されたフレームのリムの平均面上への所定の主凝視方向を有する装着者の瞳孔の投影の、フレームのリムの下縁に対する高さに対応し、前記フレームに取り付けられると眼科用レンズの平均面に対応する。
【００１４】
この所定の主凝視方向は遠方視力条件下の装着者の凝視方向に対応する。
【００１５】
レンズの累進長は、選択されたフレーム内に縁取りされ配置されるとレンズの近方視力用の第２のゾーンがレンズに含まれるように調整される。
【００１６】
さらに、近方視力用の第２のゾーンは装着者の視覚的習慣に依存して配置され得る。
【００１７】
慣習的に、累進長の選択は、装着者の姿勢又は装着者の過去の機器に関して眼鏡技師により与えられるフィードバックなど主観的判定基準に基づき眼鏡技師によりなされる。
【００１８】
レンズの累進距離を判断する方法はまた、特許文献１から知られている。この方法では、装着者の単一遠方視力点と装着者の単一近方視力点とが眼科用レンズ上で判断され、対応する累進長がそれから導出される。装着者に好適な眼科用レンズはこのようにして選択され得る。
【００１９】
しかし、この方法を適用することにより、眼科用レンズが縁取りされて装着者により選択されたフレームに取り付けられると装着者により使用される近方視力用の第２のゾーンの快適な使用に十分な部分が眼科用レンズ内に含まれるかは確かでない。具体的には、一般的に、累進長の正確な判断は第１及び第２の視力ゾーンの位置の正確な判断に関わる。例えばフレームの幾何学形状及びこのフレームの装着者の頭への取り付けに起因する装着者の顔上のフレームの正確な位置決めは、所与の装着者の第１及び第２の視力ゾーンの位置に直接影響を及ぼす。これらのパラメータは従来技術では考慮されていない。
【先行技術文献】
【特許文献】
【００２０】
【特許文献１】米国特許第８２９７７５２号明細書
【発明の概要】
【発明が解決しようとする課題】
【００２１】
従来技術の前述の欠点に対処するために、本発明は、装着者により選択されたフレームに取り付けられる累進眼科用レンズの少なくとも１つの光学的概念パラメータを判断する方法を提案する。本方法は、装着者とフレームとの両方に最も適合された眼科用レンズの光学的概念パラメータ（光学的設計）を定義するために装着者の特定の視覚的行動と装着者により選択されたフレームの寸法との両方を考慮できるようにする。
【課題を解決するための手段】
【００２２】
より具体的には、本発明によると、
ａ）装着者を第１の作業距離で視覚的タスクを行う状況に置く工程と、
ｂ）装着者の頭に関連付けられた基準系におけるこの第１の作業距離における装着者の少なくとも２つの凝視方向をこの視覚的タスク中に判断する工程と、
ｃ）フレーム又はフレームを備えるように意図された眼科用レンズに関連付けられた表面又は線の、装着者の頭の基準系における相対位置を判断する工程と、
ｄ）工程ｂ）において判断された第１の作業距離における各凝視方向について、第１の作業距離におけるこの凝視方向と前記表面又は前記線との交点を判断して、これらの交点のマップを確立する工程と、
ｅ）このマップから、前記求める光学的概念パラメータを導出する工程と
を含む方法が提案される。
【００２３】
以下は、本発明による方法の他の非限定的且つ有利な特徴である。
−  工程ａ）において、装着者は読む又は書き込みタスク、或いは相互作用型タスク又は観察タスクを行い、
−  工程ｃ）において、前記表面は、眼科用レンズの平均面、フレームのリムの平均面、フレームのリム群の平均面、眼科用レンズの後面又は前面、又はフレーム又は頭の座標系に取り付けられた任意の面のうちの１つであり、
−  工程ａ）において、装着者は、ターゲットであって、その位置が画像捕捉装置に関連付けられた基準系において既知であるターゲットを眼で追随し、且つ工程ｂ）において、この画像捕捉装置を使用して、第１の作業距離における様々な凝視方向に対応するターゲットの様々な位置の装着者の頭の画像が捕捉され、
−  工程ｂ）において、捕捉画像毎に、装着者の少なくとも一方の眼の回転中心の位置が、装着者の頭に関連付けられた基準系において判断され、且つこの位置から、第１の作業距離における各凝視方向が、この回転中心とその対応位置のターゲットとを結ぶ直線であるとして導出され、
−  工程ｂ）において、装着者が眼科用レンズを取り付けられたフレームを装着している間に捕捉された画像毎に、装着者の少なくとも一方の眼の回転中心の位置が、装着者の頭に関連付けられた基準系において判断され、且つこの位置から、前記眼科用レンズのプリズム偏差を考慮して第１の作業距離における凝視方向が、眼の回転中心とターゲットとを結ぶ光学路であるとして導出され、
−  工程ｂ）において、装着者の頭に関連付けられた基準系における装着者の眼の回転中心の位置が前記捕捉画像に関して測定され、
−  工程ｂ）において、装着者の眼の回転中心の位置が、装着者の頭に関連付けられた基準系においてほぼ導出され、
−  工程ｂ）において、眼の回転中心の基準位置が、予備工程において装着者の頭に関連付けられた基準系において測定され、及びこの基準位置が記録され、
−  凝視方向毎に、頭の姿勢と凝視方向とを関連付けるデータ対が判断され、且つメモリ内に置かれ、
−  工程ｂ）において、装着者の各画像は、ターゲットが画像捕捉装置の光軸上で発見されると捕捉され、
−  工程ｄ）において、第１の作業距離における凝視方向と前記表面との交点は、眼科用レンズの像内の装着者の眼の瞳孔の像の位置を捕捉画像内で直接測定することにより判断され、
−  工程ａ）において、装着者は選択された眼鏡フレームを備え、且つ工程ｃ）において、前記表面又は前記線の相対位置は、前記視覚的タスク中の装着者の頭の少なくとも１つの捕捉画像から判断され、
−  工程ｃ）において、前記表面又は前記線の相対位置がデータベースから判断され、
−  工程ｅ）において、以下の量：近方視力凝視の降下角度の平均値、眼科用レンズの使用ゾーンの寸法及び／又は位置（すべての判断された交点の位置を含む）、この使用ゾーン内のこれらの交点の位置の分布のうちの少なくとも１つが判断され、
−  工程ｅ）において、以下の光学的概念パラメータ：累進長及び／又はインセット（ｉｎｓｅｔ）及び／又は読み取り距離及び／又は近方視力ゾーンの位置のうちの少なくとも１つが判断され、
−  第１の作業距離における前記凝視方向は、１７センチメートル幅×２４センチメートル長の測定表面上に分散されるとともに、４０センチメートルに等しい作業距離で行われる視覚的タスク中、少なくとも５度の角度、好ましくは１５度の角度だけ離間され、
−  工程ｂ）において、第１の作業距離における少なくとも４つの異なる凝視方向であって、そのうちの少なくとも２つが非零角度だけ水平方向に離間される、少なくとも４つの異なる凝視方向が判断され、
−  下記の工程：
ａ’）装着者を第２の作業距離で視覚的タスクを行う状況に置く工程と、
ｂ’）この第２の作業距離における装着者の少なくとも１つの凝視方向をこの視覚的タスク中に判断する工程と
がさらに行われ、工程ｅ）において、第２の作業距離における装着者のこの凝視方向が、前記求める光学的概念パラメータを判断するために考慮され、
−  工程ａ）において、装着者は近方視力視覚的読み取りタスク（ｎｅａｒ−ｖｉｓｉｏｎ  ｖｉｓｕａｌ  ｒｅａｄｉｎｇ  ｔａｓｋ）を行い、且つ工程ｅ）において、工程ｄ）で判断されたマップから、レンズの近方視力用のゾーン、及び／又は読み取りタスク中の装着者の少なくとも一方の眼の移動の振幅、及び／又は読み取りタスク中の装着者の頭の移動の振幅、及び／又は読み取りタスク中の所定方向の装着者の眼の移動の振幅と、眼の移動の最大振幅との比に等しい眼−頭係数が導出される。
【００２４】
本発明はまた、上述のような方法を実施する測定装置に関する。本測定装置は、
−  画像捕捉手段と、
−  移動ターゲットであって、その位置が画像捕捉装置に関連付けられた基準系において既知である移動ターゲットを表示する手段であって、ターゲットが表示手段上に所定のトリガ位置を有する場合に画像捕捉をトリガするようにプログラムされた手段と
を含む。
【００２５】
例示的一実施形態の詳細な説明
非限定的例として与えられる添付図面を参照する以下の説明は、本発明の本質と、本発明がどのようして実現され得るかとの理解を容易にする。
【図面の簡単な説明】
【００２６】
【図１】装着者の眼の様々な凝視方向を判断するための一実施形態の概略図である。
【図２】様々な凝視方向とフレームのリムの平均面との交点の分布の概略図である。
【図３】使用近方視力ゾーンが遠方視力基準点に対する第１の位置に配置された第１の例示的眼科用レンズの概略正面図である。
【図４】使用近方視力ゾーンが遠方視力基準点に対する第２の位置に配置された第２の例示的眼科用レンズの概略正面図である。
【発明を実施するための形態】
【００２７】
図１〜図４のフレームの平均面内の投影で示す様々な眼科用レンズの同一又は対応要素は同じ符号により参照されることに注意されたい。
【００２８】
図２〜図４に示すレンズ３０は、累進球面加入度（ｐｒｏｇｒｅｓｓｉｖｅ  ｓｐｈｅｒｉｃａｌ  ｐｏｗｅｒ  ａｄｄｉｔｉｏｎ）を有する眼科用レンズすなわち累進眼科用レンズであり、その上側部分にその球面度数が装着者の視力矯正ニーズに依存して装着者の遠方視力に好適な第１の遠方視力ゾーン１１を、その下側部分にその球面度数が装着者の近方視力に好適な第２の近方視力ゾーン１２を含む。
【００２９】
図２〜図４は、選択されたフレーム１０の対応リムの平均面ＰＭ内のこのレンズ３０の投影を示す。
【００３０】
以下では、遠方視力用の第１のゾーン１１は「遠方視力ゾーン１１」と呼ばれ、近方視力用の第２のゾーン１２は「近方視力ゾーン１２」と呼ばれる。
【００３１】
遠方視力ゾーン１１と近方視力ゾーン１２との間に、知られているように中間距離視力に好適な第３の視力ゾーン１３が存在する。
【００３２】
遠方視力ゾーン１１は遠方視力基準点ＩＶＬを囲み、近方視力ゾーン１２は近方視力基準点ＩＶＰを囲む。
【００３３】
レンズ３０は、遠方視力基準点ＩＶＬでは、装着者の遠方視力に好適な第１の所定の球面度数を有し、近方視力基準点ＩＶＰでは、装着者の近方視に好適な第２の所定の球面度数を有する。
【００３４】
レンズの度数は、「主累進経線（ｐｒｉｎｃｉｐａｌ  ｐｒｏｇｒｅｓｓｉｏｎ  ｍｅｒｉｄｉａｎ  ｌｉｎｅ）」と呼ばれる曲線に沿って前記遠方視力基準点ＩＶＬと前記近方視力基準点ＩＶＰとの間で、好ましくは連続的に変化する。主累進経線はこれらの２点を通る。この主累進経線は、これらの３つのＦＶ、ＩＶ、ＮＶゾーンを全垂直方向に通る。
【００３５】
本明細書に関連して、以下の定義が採用されるものとする。
【００３６】
標準規格ＩＳＯ１３６６６：２０１２によると、製造者が「眼鏡を眼の前に位置決めするための基準点」と考えるレンズの前面上に配置された点は取り付け点と呼ばれる。
【００３７】
レンズ上の取り付け点の位置は予め決められ且つ知られている。
【００３８】
このとき、取り付け高さは、取り付け点をレンズの周囲の下限を通る水平方向接線から隔てる垂直距離に対応する。
【００３９】
本明細書の残りでは、眼鏡の使用ゾーンＺＵは、特定の視覚的タスク中に又は所定の作業距離での使用中に装着者の凝視が通る眼鏡上の一組の点の統計的分布を表す空間ゾーンであると定義される。使用ゾーンＺＵは、眼科用レンズ上の、又は眼科用レンズ又は対応フレームのリムに関連付けられた別の投影面上の点Ｉ１、Ｉ２の統計的分布により空間的に、又は凝視方向Ａ１、Ａ２の統計的分布によりベクトル的に、のいずれかで均等に定義され得る。代替的に且つより単純には、使用ゾーンＺＵはまた、装着者の矢状面内の凝視の降下角度Ａ１、Ａ２の統計的分布により表形式で定義され得る。
【００４０】
眼科用レンズの累進長ＬＰは、眼鏡の製造者により定義される取り付け用十字ＣＭと近方視力基準点ＩＶＰの位置との間の垂直距離として定義される（図２）。
【００４１】
取り付け用十字ＣＭは、その位置がレンズの製造者により予め定義されるレンズを装着者の眼の前に位置決めするための基準点である。
【００４２】
他の定義が累進長に対し採用され得、取り付け用十字に対するのではなくプリズム基準点に対して又は遠方視力基準点ＩＶＬに対して表現され得る。これらの点のそれぞれの位置もまた製造者により与えられるため、この定義は前述のものと均等である。
【００４３】
採用される累進長の定義に関わらず、本発明による方法は同じである。
【００４４】
眼科用レンズの平均面は、レンズの前面及び後面からすべての点において等距離である表面として定義される。
【００４５】
水平方向は、例えば鉛直線に従う垂直方向に対して垂直であると考えられる。
【００４６】
凝視方向は、装着者により凝視で固定された点と眼の回転中心とを含む面に属する直線である。
【００４７】
特に一方の眼に関し、凝視方向は、装着者により凝視で固定された点と眼の回転中心とを結ぶ直線として定義される。
【００４８】
無限遠に向かって真直ぐ延びる視準点を有する遠方視力では、凝視方向は水平方向である。この凝視方向は主凝視方向ＤＰＲに対応する（図１）。
【００４９】
累進眼科用レンズは、特に以下の２つの主光学的量により定義される：
−  遠方視力基準点ＩＶＬと近方視力基準点ＩＶＰとの間の度数の変化に等しい加入度、及び
−  遠方視力の前記基準点ＩＶＬの度数に等しい「公称度数」。
【００５０】
レンズのインセットＥは、遠方視力基準点ＩＶＬと近方視力基準点ＩＶＰとの間の水平方向オフセットとして定義される。インセットＥは「内部オフセット」とも呼ばれる。
【００５１】
装着者に最大限可能な視覚快適性を提供するために、前記装着者が遠く離れたところを見ているときに遠方視力ゾーン１１を通して見て、近方視力視覚的タスクを行っているときに近方視力ゾーン１２を通して見るように、装着者が装着する２つの眼用レンズの遠方視力及び近方視力ゾーンを精密に配置することが必要である。
【００５２】
したがって、これらの２つの遠方視力ゾーンと近方視力ゾーンとの相対位置及び寸法は、例えば瞳孔間距離などの装着者の幾何学的−人相学的パラメータ及び視覚的行動に依存する。これらはまた、装着者により選択されるフレームの幾何学的特徴（特にフレームのリムの高さ、フレームの基部、又は装着者により装着されるフレームの装用時前傾角）に依存する。
【００５３】
本発明による方法により、各累進眼科用レンズの少なくとも１つの光学的概念パラメータを装着者の視覚的行動に基づいて判断することが可能である。
【００５４】
この方法は特に、装着者の視覚的行動が近方視力視覚的タスク中に自然体で評価されることと、装着者の幾何学的−形態学的パラメータと選択されたフレームの幾何学形状とが考慮されることとを可能にする。
【００５５】
自然体により意味するものは、いかなる制約も無い状態で装着者が習慣的に採る姿勢である。
【００５６】
この光学的概念パラメータは特に、遠方視力ゾーン１１と近方視力ゾーン１２との相対位置に関係し得る。
【００５７】
例えば、眼科用レンズの累進長ＬＰ、ＬＰ１、ＬＰ２又はインセットＥの問題である（図２〜図４）。
【００５８】
より正確には、本発明によると、下記の工程が行われる。
ａ）装着者を第１の作業距離で視覚的タスクを行う状況に置く工程と、
ｂ）装着者の頭に関連付けられた基準系（ｘ１，ｙ１）におけるこの第１の作業距離における装着者の少なくとも２つの凝視方向Ｄ１、Ｄ２をこの視覚的タスク中に判断する工程と、
ｃ）装着者の頭に関連付けられたこの基準系（ｘ１，ｙ１）における前記フレーム１０に関連付けられた又は前記フレーム１０に取り付けられる眼用レンズ３０に関連付けられた表面ＰＭ又は線の相対位置を判断する工程と、
ｄ）工程ｂ）において判断された各凝視方向Ｄ１、Ｄ２について、第１の作業距離におけるこの凝視方向と前記表面又は前記線との交点を判断して、この表面上のこれらの交点Ｉ１、Ｉ２、Ｉ３、Ｉ４のマップを確立する工程と、
ｅ）このマップから、前記求める光学的概念パラメータを導出する工程。
【００５９】
工程ａ）
装着者は、第１の近方視力作業距離に少なくとも１つの視覚部品を有するタスクを行う状況に置かれる。
【００６０】
作業距離は、装着者の眼と、装着者により凝視で固定された点との間の距離として定義される。
【００６１】
本明細書でより具体的に説明する例では、第１の作業距離は２０〜６０センチメートルの範囲であり、例えば４０センチメートルに等しい。このとき、この第１の作業距離は近方視力作業に対応する。
【００６２】
変形形態として、中間視力作業に対応する６０センチメートル〜１．５メートルの範囲、又は遠方視力作業に対応する１．５メートル〜無限遠の範囲に含まれる第１の作業距離に対して、本発明による方法を実施することを想定し得る。
【００６３】
より正確には、ここでは、工程ａ）において、オペレータは、装着者に以下のタスクから選択されるタスクを好ましく実行するように要求する。
−  読み取りタスク、
−  書き込みタスク、
−  相互作用型タスク、及び
−  観察タスク。
【００６４】
このタスクを実行するために、装着者は、両手の間に保持し、頭に対して所望の方法で配置し得る媒体２０（図１）を提示される。
【００６５】
この媒体２０は、好ましくは、デジタル表示部を含む平坦な媒体であり、例えば好ましくはタッチタブレットである。
【００６６】
この媒体２０は通常、装着者が割り当てられたタスク中に凝視により追随しなければならないターゲットＣ１、Ｃ２を含む。
【００６７】
例えば、読み取りタスクでは、ターゲットは媒体上に表示されるテキストの各単語からなる。
【００６８】
これは、例えば、黒色で又は別の色で画面上に表示されるテキスト又はハイライト又はアンダーラインされ、画面上に表示されるテキストの問題であり得る。読み取るべき単語はテキストに沿って動く。
【００６９】
装着者は各時点で、テキストの異なる色、ハイライト又はアンダーラインにより示された単語を読む。
【００７０】
書き込みタスクでは、それは書き込まれる単語の問題であり得る。
【００７１】
書き込みタスクは、例えば媒体２０を形成するタッチタブレット上のスタイラスを使用することにより行われる。このとき、書くにつれ装着者が見る位置をスタイラスの端とタッチタブレットのアクティブ画面との接触点であるとして直接識別することが可能である。
【００７２】
「相互作用型タスク」により意味するものは相互作用型ゲームなどのタスクであり、ターゲットＣ１、Ｃ２は装着者が眼で追随しなければならない像からなる。相互作用は、装着者がターゲットの様々な特徴（位置、配向、コントラストなど）に依存して行動（例えば、媒体をクリック）しなければならないことに関係する。
【００７３】
例えば、ターゲットＣ１、Ｃ２が矢印の像により形成されることと、装着者が矢印の方向に依存して右また左の媒体２０をクリックすることとを想定し得る。
【００７４】
ターゲットＣ１、Ｃ２はまた、媒体の表示部分の上を直線で移動する可能性があり、装着者はターゲットＣ１、Ｃ２がこの表示部分の端に接触する前にそれをクリックしなければならない。
【００７５】
ターゲットＣ１、Ｃ２はまた、そのコントラストが徐々に増加する点滅発光像で構成され得る。装着者は、ターゲットが現れるのを見ると直ちに媒体をクリックする。
【００７６】
観察タスクにより意味するものは、装着者が眼でターゲット（例えば像）Ｃ１、Ｃ２をそれと相互作用することなく追随するタスクである。
【００７７】
一般的に、対象のタスクに関わらず、装着者の鋭敏さに依存して媒体２０上のターゲットＣ１、Ｃ２の表示寸法を調整するために、タスク自体の実施に先立って調整工程を行うことを想定し得る。
【００７８】
したがって、このタスクを行う瞬間に自由に使える機器に関わらず、装着者はタスク実行中にターゲットを明確に見ることができることを保証し得る。
【００７９】
好ましくは、工程ａ）では、装着者により選択されたフレーム１０はレンズが取り付けられることなく頭上に置かれる（図１）。
【００８０】
装着者の凝視がフレームの端により制約されないように、好ましくは、選択されたものより大きな寸法を有する選択されたもの以外のフレームを装着者の頭上に置くことも想定し得る。
【００８１】
同様に、度数を有しない提示レンズ又は矯正レンズ（例えば、装着者が現在使用するものと同様のレンズ）を有する選択されたフレームを装着者の頭上に置くことを想定し得る。
【００８２】
フレーム１０は好ましくは定位システム４０を備える。定位システム４０は、空中の装着者の頭の位置が定位システムを備えた装着者の頭の捕捉画像から判断され得るようにする。この定位システム４０は、仏国特許第２９１４１７３号明細書の第７頁第５行〜第１０頁第８行に詳細に説明されている。したがって、ここではこれについてさらに詳細に説明しない。
【００８３】
この定位システム４０は、装着者の頭の捕捉画像（この画像内にこの定位システムが出現する）から、空中の装着者の頭の位置及び配向がこの画像捕捉装置に関連付けられた基準系において判断され得るようにする所定の幾何学的特徴を有する。したがって、この定位システム４０は、装着者の頭に関連付けられた基準系の位置及び配向が、画像捕捉装置に関連付けられた基準系において判断され得るようにする。
【００８４】
装着者の頭上に置かれたフレーム自体が定位システムの役割を果たすことも想定し得る。
【００８５】
装着者の頭上にフレームもレンズも置かないことも想定し得る。この場合、装着者の頭が定位システムを直接備え得る。
【００８６】
工程ｂ）
装着者が割り当てられた視覚的タスクを実行している間に第１の作業距離における装着者の凝視方向が判断され得るようにするために、媒体２０は少なくとも１つの画像捕捉装置２１を含む。
【００８７】
視覚的タスク中の装着者の映像を取得するためにはビデオカメラが好ましい。
【００８８】
視覚的タスク中に装着者が眼で追随するターゲットＣ１、Ｃ２の位置は媒体２０に対しあらゆる時点で知られている。したがって、前記位置は画像捕捉装置２１に関連付けられた基準系において知られている。
【００８９】
したがって、この構成により、装着者の凝視が画像捕捉の瞬間に固定されるターゲットＣ１、Ｃ２の位置は画像捕捉装置に関連付けられた基準系において、したがって装着者の頭に関連付けられた基準系において知られている。
【００９０】
工程ｂ）では、第１の作業距離における様々な凝視方向Ｄ１、Ｄ２に対応するターゲットＣ１、Ｃ２の様々な位置の装着者の頭の画像がこの画像捕捉装置２１を使用して捕捉される。
【００９１】
画像捕捉装置と媒体２０の表示部分の表示手段は、好ましく、ターゲットＣ１が所定位置にあるときに画像の捕捉がトリガされるように、且つ画像捕捉時点で画像捕捉装置に関連付けられた基準系におけるターゲットＣ１の位置が記憶され、この時点で捕捉された画像に関連付けられるように同期される。
【００９２】
上述のように、画像取得は映像の記録を介し行われ得る。
【００９３】
相互作用型タスクの場合、画像捕捉装置２１は装着者が媒体２０をクリックしたときのみ、装着者の頭の画像を記録するように構成されることも想定し得る。
【００９４】
装着者の頭の捕捉画像は、媒体に一体化され得るか、又は遠隔であり得る情報処理装置へ送信される。
【００９５】
捕捉画像は、実時間で、又はすべての画像が捕捉された後で処理され得る。
【００９６】
これらの捕捉画像から、情報処理ユニットは、装着者の頭に関連付けられた基準系における装着者の少なくとも一方の眼の回転中心ＣＲＯの位置を判断する。
【００９７】
この判断の原理自体は公知であり、例えばその英語版が米国特許出願公開第２０１００１２８２２０号明細書である仏国特許第２９１４１７３号明細書に記載されている。
【００９８】
一例として、装着者が眼を画像捕捉装置に対して異なる位置を有するターゲットＣ１、Ｃ２上に固定させている間に、捕捉された２つの画像内の装着者の眼の注目すべき点（例えば装着者の眼の瞳孔）の像を識別することが可能である。このとき、画像捕捉装置に対する眼の瞳孔の位置は、これらの２つの画像内の定位システム４０の画像の幾何学的特徴に依存して判断される。これらの幾何学的特徴は、画像の倍率と画像捕捉装置２１に対する装着者の頭の回転角とへのアクセスを提供する。
【００９９】
２回の画像取得中に凝視により固定されたターゲットＣ１、Ｃ２の位置は画像捕捉装置に対して知られているため、この位置から、眼の回転中心ＣＲＯの位置は捕捉画像毎のターゲットと眼の瞳孔とを通る直線の交点であるとして導出される。
【０１００】
凝視方向毎に装着者の頭の対応する姿勢（すなわち画像捕捉装置に関連付けられた基準系におけるその位置及びその配向）を判断することも可能である。頭の姿勢と凝視方向とを関連付けるデータ対がメモリ内のファイルに内に置かれる。
【０１０１】
本発明による方法の第１の実施形態によると、情報処理装置は上記データ対から、各画像捕捉中の装着者の頭に関連付けられた基準系における装着者の第１の作業距離における凝視方向Ｄ１、Ｄ２をこの回転中心ＣＲＯと画像捕捉中のその対応位置のターゲットＣ１、Ｃ２とを結ぶ直線であるとして導出する。
【０１０２】
変形形態として、装着者の頭の基準系における装着者の眼の回転中心ＣＲＯの位置は予め決められ得る。これを行うために、画像処理工程と画像捕捉工程とは、本発明による方法の実施に先立って任意選択的に１つの場所で又は異なる測定装置により行われ得る。
【０１０３】
この場合、装着者の眼の回転中心ＣＲＯの位置はメモリ内に手動で置かれてもよく、又は情報処理装置へ直接送信されてもよい。
【０１０４】
第２の実施形態によると、工程ｂ）では、眼の回転中心ＣＲＯの位置は、例えば眼科用レンズの後面に対するこの回転中心の所定の平均位置に依存して判断される。この目的を達成するために、回転中心は例えば、眼科用レンズの後面から２７ミリメートルに等しい平均距離に配置されると考えられ得る。
【０１０５】
変形形態として、装着者の頭に関連付けられた基準系における眼の回転中心の基準位置を予備工程においてそれ自体知られている方法を使用することにより測定して、この基準位置を記録し且つ情報処理装置へ送信することも可能である。
【０１０６】
第３の実施形態によると、工程ｂ）において、装着者の各画像は、ターゲットＣ１、Ｃ２が画像捕捉装置の光軸上で発見されると捕捉される。ここでは、画像捕捉装置が媒体２０の表示部分の背後に置かれる別の構成が想定される。このとき、装着者の視覚的タスクは、好ましくは、装着者が眼でターゲットＣ１、Ｃ２を追随する観察タスクである。このターゲットの移動はこのターゲットがその背後に位置する画像捕捉装置の前を数回通るようにパラメータ化され、画像捕捉はこれらの通過に対応する時点でトリガされる。
【０１０７】
これは、ターゲットが色又はハイライト又はアンダーラインにより示される（読み取りタスク）又はターゲットが単語の書き込み中にタブレット上のスタイラスの接触点により示される単語により（書き込みタスク）形成される上述のような書き込み又は読み取りタスクの問題であり得る。
【０１０８】
したがって、装着者の眼により固定される照準点の位置は正確に知られる。
【０１０９】
次に、凝視方向と眼科用レンズとの交点の位置を直接判断すること、又はフレームのリムの平均面が捕捉画像内の眼科用レンズの像に対する装着者の眼の瞳孔の像の位置であると直接判断することが可能である。例えば、フレームのリムの像に対する瞳孔の像の位置が判断される。これを行った後、工程ｂ）において、凝視方向は装着者の眼の瞳孔と画像捕捉装置の瞳孔とを結ぶ直線である（ここではターゲットを通る直線である）として判断される。工程ｃ）において、フレーム又は眼科用レンズに関連付けられた表面は画像捕捉面に一致するものと定義される。眼の回転中心は判断されない。
【０１１０】
又は、画像捕捉装置はターゲットが常にその光軸上にあるように移動することを想定し得る。
【０１１１】
このとき、定位システム４０に対する又はフレーム１０に対する装着者の眼の瞳孔の位置は装着者の頭の捕捉画像から判断され、第１の作業距離における装着者の凝視方向は、上記位置から、瞳孔とターゲットＣ１、Ｃ２とを結ぶ直線として導出される。眼の回転中心は判断されない。
【０１１２】
上記実施形態のそれぞれの一変形形態によると、装着者がフレームと矯正眼科用レンズ（すなわち所定度数を有するレンズ）を備えている場合、工程ｂ）において処理ユニットは、好ましくは、装着者の頭に関連付けられた基準系における装着者の眼の回転中心の位置を判断するとともに、この位置から、対応する矯正眼科用レンズのプリズム偏差を考慮して第１の作業距離における凝視方向が、眼の回転中心とターゲットとを結ぶ光学路であるとして導出するようにプログラムされる。
【０１１３】
これは、一方では眼の回転中心の位置の判断中に、且つ他方では第１の作業距離における凝視方向の判断中にプリズム偏差を考慮する問題である。
【０１１４】
この凝視方向は通常、このプリズム偏差を考慮して、眼の回転中心とターゲットとの間の光線により追跡された経路の計算により判断される。光線により追跡された経路のこの計算を行うために、装着者の頭に対する矯正眼科用レンズの位置が考慮される。
【０１１５】
工程ｃ）
工程ｂ）において判断された第１の作業距離における装着者の凝視方向Ｄ１、Ｄ２の交点Ｉ１、Ｉ２、Ｉ３、Ｉ４の位置と、工程ｄ）において前記フレーム又は前記フレームを備える眼科用レンズに関連付けられた表面ＰＭ又は線とを判断するために、装着者の頭に関連付けられた基準系におけるこの表面又はこの線の位置が判断される。
【０１１６】
最初に、考察表面又は線は様々な方法で定義され得る。
【０１１７】
好ましくは、考察表面又は線はフレームのリムのうちの少なくとも１つと関連付けられる。したがって、これは、フレームが装着者の頭上に置かれる場合のフレームのこのリムの位置を表す表面又は線の問題である。
【０１１８】
表現「フレームのリムのうちの少なくとも１つに関連付けられた」は、ここでは、この表面又はこの線がフレームのリムのうちの少なくとも１つの２次元又は線形モデルを形成することを意味するものと理解される。
【０１１９】
工程ａ）を参照して説明したように、本明細書に記載の例では、装着者は特に、この方法の実施のために、このフレームのリムの内部に取り付けられた眼科用レンズの無い選択したフレーム１０を備えると考えられる。
【０１２０】
この例では、工程ｃ）において考慮される表面は、好ましくは、装着者の対象の眼の前に置かれたフレーム１０のリムの平均面ＰＭとなる。
【０１２１】
しかし、変形形態として、これはフレームの２つのリムの平均面の問題であり得る。
【０１２２】
これはまた、フレーム１０上に置かれた定位システム４０に関連付けられた面の問題であり得る。
【０１２３】
さらに別の変形形態として、これは、フレーム１０又はこの眼科用レンズの後面又は前面のリムに取り付けられることを意図された眼科用レンズの平均面の問題であり得る。
【０１２４】
したがって、考察される表面は、フレーム又はレンズのリムの平均面の場合がそうであるように平坦であり得、又は対応する眼科用レンズの平均面の場合がそうであるように湾曲し得る。
【０１２５】
フレーム又はこのフレームを備える眼科用レンズに関連付けられた線が考慮される場合、前記線は曲線であっても直線であってもよい。
【０１２６】
これは特には、一方では装着者又は面の頭の矢状面に平行な面（すなわち、「フランクフルト面」と呼ばれる面）と他方では上に定義されたようにフレーム又は眼科用レンズに関連付けられた表面との交点の問題であり得る。
【０１２７】
装着者の頭のフランクフルト面ＰＦは、装着者の下限眼点ＯＲとポリオンＰＯ（聴覚管（耳のトラギオンに対応する）の頭骨中の最も高い点）とを通る面として定義される。
【０１２８】
装着者が自然体である場合、このフランクフルト面ＰＦはほぼ水平方向である。
【０１２９】
これは、例えば、装着者が、装着者の頭が垂直であり遠くを真直ぐ（すなわち好ましくは水平線を）見ている着座又は立った姿勢である場合である。装着者は、起立位置（すなわち、最低限の労力をする位置）を採っているとも言われる。
【０１３０】
装着者の頭の矢状面は、２つの眼の二等分線を通るフランクフルト面に垂直な面であると定義される。眼の二等分線は、２つの眼の回転中心により定義されたセグメントの真中を通る軸であり、フランクフルト面に平行である。
【０１３１】
考察表面（ここでは、例えばフレームのリムの平均面ＰＭ）又は線の位置は、第１の作業距離における装着者の凝視方向を判断するためにこれらの画像を処理する前又は後に同時に、工程ｂ）において捕捉された画像から判断されてもよく、又は工程ｄ）に先立って予め決められていてもよい。
【０１３２】
第１のケースを示す一例では、装着者の頭に関連付けられた基準系におけるフレーム１０のリムの平均面ＰＭの位置は、捕捉画像内のフレーム及び／又は眼科用レンズの像に依存して及び定位システム４０の対応する画像に依存して判断される。この場合、情報処理装置はまた、上記位置から、同じ手段により、画像捕捉装置の基準系における考察表面の位置を導出する。
【０１３３】
第２のケースを示す一例では、オペレータは、工程ｄ）に先立って、好ましくは工程ａ）及びｂ）の前に、当業者に知られた任意の方法によりこの平均面ＰＭの位置を判断する校正工程を行う。例えば、この位置はフレームを備えた装着者の頭の捕捉プロファイル画像から判断されることを想定し得る。
【０１３４】
考察表面、フレームのリムの平均面、眼科用レンズの平均表面又は面、又は考察表面又は線の平均位置を含む所定データベースから得られる装着者の頭に関連付けられた基準系における考察線のこの位置も想定し得る。これは特に、工程ａ）においてフレーム又は眼科用レンズが装着者の頭上に置かれないケースに適用可能である。次に、工程ｃ）では、装着者の頭の仮フィッティングが行われ、装着者の頭上のフレーム又は眼科用レンズはデータベースから得られた情報により仮想的に置換される。
【０１３５】
フレーム又は眼科用レンズに関連付けられた前記線の位置を判断する問題である場合、フレームを備えた装着者のプロファイル画像に基づきこの工程を行うことが特に可能である。このプロファイル画像は、好ましくは、本明細書に記載の他の工程を実施する前に捕捉される。次に、考察線は、例えばフレームのリムの平均面と画像捕捉面（ここでは装着者の頭の矢状面に平行である）との交点に対応する。
【０１３６】
このとき、この線は、装着者の自然体において、垂直方向に対しフレームの装用時前傾角に等しい角度だけ傾斜される。
【０１３７】
フレーム又は眼科用レンズに関連付けられたこの線を、上に定義された表面のうちの１つと装着者の頭のフランクフルト面との交点であるとして判断することも可能である。フランクフルト面の位置は予め決められているか、又は捕捉面及び／又は装着者のプロファイル画像から判断される。
【０１３８】
最後に、考察表面又は考察線の配向は、校正工程後、装着者の頭の基準系において知られている（例えば、フレームを備えた装着者の頭の捕捉プロファイル画像から判断される）ことを想定し得る。
【０１３９】
この表面又はこの線を装着者の視覚的タスク中に装着者の頭に対して正確に配置するためには、工程ｃ）において、フレーム又は眼科用レンズに関連付けられた少なくとも１つの基準点の位置が、工程ｂ）において捕捉された画像から装着者の頭の基準系において判断される。したがって、考察表面又は考察線の位置は捕捉画像毎に高精度に判断される。
【０１４０】
変形形態として、考察表面又は考察線はオフセットされ得、すなわち、上に定義された表面のうちの１つ又は線のうちの１つに平行な面内又は方向に延び得る。
【０１４１】
工程ｄ）
工程ｄ）では、情報処理装置は、この表面上のこれらの交点Ｉ１、Ｉ２、Ｉ３、Ｉ４のマップを確立するように、工程ｂ）において判断された第１の作業距離における各凝視方向Ｄ１、Ｄ２について、この凝視方向と前記表面との交点を判断するようにプログラムされる。
【０１４２】
考察表面（ここではフレームのリムの平均面）の位置は装着者の頭に対して知られており、装着者の頭の位置は定位システム４０により画像捕捉装置の基準系において知られているため、情報処理装置は、上記位置から、画像捕捉装置２１の基準系におけるこの平均面ＰＭの位置を導出する。
【０１４３】
次に、画像処理装置は、この平均面ＰＭと第１の作業距離における凝視方向Ｄ１、Ｄ２との交点を計算により判断する。
【０１４４】
この目的を達成するために、画像処理装置は、凝視方向Ｄ１、Ｄ２とこの平均面ＰＭの正規直交座標系（Ｘ，Ｙ）におけるフレーム１０のリムの平均面ＰＭとの交点Ｉ１、Ｉ２、Ｉ３、Ｉ４の座標（ｘ，ｙ）を判断する。
【０１４５】
ここでは、この正規直交座標系（Ｘ，Ｙ）では、Ｙ軸はフレーム１０のリムの平均面ＰＭ上への垂直方向の投影に対応する。Ｘ軸はこの平均面ＰＭ内のＹ軸に垂直な軸である。
【０１４６】
フレーム１０又は定位システム４０の対称軸を有する「ボクシング系」と呼ばれる標準の座標系を使用することも可能である。
【０１４７】
工程ｅ）
工程ｅ）において、情報処理装置は、以下の量のうちの少なくとも１つを判断する：
−  近方視力凝視の降下角度Ａ１、Ａ２の平均値、
−  すべての交点Ｉ１、Ｉ２の判断位置を含む眼科用レンズの使用ゾーンＺＵの寸法及び位置、
−  使用ゾーンＺＵの重心の位置、
−  この使用ゾーン内のこれらの交点Ｉ１、Ｉ２の位置の分布。
【０１４８】
凝視の降下角度は、工程ｂ）において判断された第１の作業距離における凝視方向の投影と所定の主凝視方向ＤＰＲとの角度として定義される。
【０１４９】
この所定の主凝視方向ＤＰＲは遠方視力条件下の（すなわち遠方視力に対応する第２の作業距離における）装着者の凝視方向に対応する。
【０１５０】
これを判断するために、オペレータは、第２の作業距離における視覚的タスクを行う状況に装着者を置く工程ａ’）を行う。
【０１５１】
これを行うために、オペレータは例えば装着者に遠く離れたところを見る（すなわちこの装着者から少なくとも５メートルだけ離れた点を凝視する）ように要求する。
【０１５２】
工程ｂ’）では、この遠方視力視覚的タスク中に、装着者の少なくとも１つの凝視方向がこの第２の作業距離において判断される。
【０１５３】
好ましくは、工程ｂ）では、少なくとも４つの凝視方向が第１の作業距離において判断される。４つの交点Ｉ１、Ｉ２、Ｉ３、Ｉ４が上記方向から導出される（図２）。
【０１５４】
好ましくは、第１の作業距離における少なくとも２つの凝視方向は水平方向（ここではフレーム１０のリムの平均面ＰＭの正規直交座標系のＸ軸に対応する）に非零角度だけ離間される。好ましくは、第１の作業距離における少なくとも２つの凝視方向は垂直方向（ここではフレーム１０のリムの平均面ＰＭの正規直交座標系のＹ軸に対応する）に非零角度だけ離間される。
【０１５５】
さらに、第１の作業距離における前記凝視方向はすべて本明細書では装着者の近方視力に対応する。
【０１５６】
再び好ましくは、使用ゾーンＺＵをできるだけ良く表す交点を得るために、第１の作業距離における前記凝視方向は、画像捕捉装置の基準系において少なくとも５度の角度だけ離間される。
【０１５７】
好ましくは、第１の作業距離における前記凝視方向は、１７センチメートル幅×２４センチメートル長の測定表面上に分散されるとともに、４０センチメートルに等しい作業距離で行われる視覚的タスクに関し、少なくとも１５度の角度だけ離間される。
【０１５８】
実際には、２〜５００の点、好ましくは５０〜２５０、好ましくは１０を超える点からなる数の交点が判断されることが好ましい。
【０１５９】
したがって、例えば、凝視の降下角度の平均値を、工程ｂ）において判断された第１の作業距離において凝視方向毎に判断された凝視の降下角度の値の算術平均として判断することができる。
【０１６０】
使用ゾーンＺＵはすべての判断された交点Ｉ１、Ｉ２、Ｉ３、Ｉ４を包含するように判断され得る。
【０１６１】
これは、判断された交点のすべて又は一部を含む楕円又は矩形の問題であり得る。好ましくは、使用ゾーンＺＵの輪郭は判断された交点の少なくとも９５％を囲む。
【０１６２】
この使用ゾーンＺＵ内の工程ｄ）において判断された交点の分布Ｆ１、Ｆ２（図３及び図４）が例えば平均面ＰＭの正規直交座標系（Ｘ，Ｙ）のＹ軸に沿って判断され得る。これは例えば、このＹ軸に沿ったその座標により各交点を参照し、且つその対応座標が座標の所定間隔内に含まれる交点の数をカウントする問題である。
【０１６３】
このとき、Ｙ軸に沿った座標に応じて交点の数を与える曲線が交点の分布Ｆ１、Ｆ２を得るために追跡される。
【０１６４】
交点の分散を判断することも可能である。
【０１６５】
この目的を達成するために、交点Ｉ１、Ｉ２、Ｉ３、Ｉ４の重心の座標（ｘｍ，ｙｍ）が判断され、この重心に対する分散は、従来の変動、標準偏差、誤差などの型の式を使用することにより計算される。
【０１６６】
さらに、工程ｅ）では、情報処理装置は、以下の光学的概念パラメータ：近方視力ゾーンの累進長ＬＰ、インセットＥ、読み取り距離又は位置のうちの少なくとも１つを判断する。
【０１６７】
この判断は例えば、上に定義された判断された量のうちの１つに依存して行われる。
【０１６８】
累進長ＬＰは例えば、近方視力凝視の降下角度Ａ１、Ａ２の平均値に依存して判断され得る。
【０１６９】
累進長ＬＰは例えば、垂直方向Ｙ方向に沿った使用ゾーンＺＵの寸法及び／又はこの方向に沿った使用ゾーン内の交点の分布に依存して判断される。
【０１７０】
特に、一般的には、判断された使用ゾーンが大きければ大きいほど導出累進長は小さくなる。
【０１７１】
さらに、判断された累進長ＬＰはまた、選択されたフレームのリムの形状を考慮する。
【０１７２】
選択されたフレーム１０のリムの全高は、手動で入力されてもよく、フレームのデジタル処理から判断されてもよく、又は所定データベースから抽出されてもよい。
【０１７３】
したがって、使用ゾーンの垂直方向広がり（すなわちレンズの垂直Ｙ方向に沿った使用ゾーンの寸法）は、近方視力ゾーンが眼科用レンズ内に含まれるように近方視力ゾーンを上げるように累進長ＬＰを調整できるようにし得る。この累進長の補正は、容易にアクセス可能であり、且つ装着者の視覚的行動に好適な大きな近方視力ゾーンを提供するために垂直方向広がりがその寸法を増加するにつれ、その大きさが増加する。
【０１７４】
別の例では、使用ゾーンの重心の位置及び使用ゾーンＺＵの垂直方向広がりは、近方視力ゾーン１２の高さが判断され得るようにする。
【０１７５】
この使用ゾーン内の交点の分布はまた、導出累進長が判断され得るようにすることができる。
【０１７６】
一例として、本発明による方法は、例えば１４ミリメートル及び１８ミリメートルに等しい２つの累進長から選択することを可能にし得る。
【０１７７】
例えば、使用ゾーンの重心のｘ及び／又はｙの位置は、累進レンズの近方視力基準点ＩＶＰのｘ及び／又はｙの位置を判断するために使用される。
【０１７８】
遠方視力基準点は予め決められているため、対応するインセットＥの値をそれから導出することが可能である。
【０１７９】
別の例では、使用ゾーンの上限（近方視力ゾーン１２の始まりに対応する）は、装着者の視覚的行動に一致する近方視力ゾーン１２を提供するように設計の累進プロファイルを修正することにより、累進プロファイルを８５％球面加入度へ調整するために使用される。
【０１８０】
加えて、使用ゾーンの重心が１００％の加入度に対応する（すなわち近方視力ゾーン１２の一部を形成する）ように、累進長ＬＰが調整されるようにする手立てがなされ得る。本明細書に記載の例示的実施形態では、判断された使用ゾーンは装着者の眼科用レンズの近方視力ゾーン内に配置される。
【０１８１】
したがって、第１の作業距離における装着者の凝視方向（交点のグループを判断するために使用される）は、この使用ゾーンを上記方向から導出するために、近方視力凝視方向である。
【０１８２】
変形形態として、装着者の遠方視力又は中間視力のための類似した測定を行うことも可能である。
【０１８３】
これは例えば、遠方視力凝視方向との交点のグループを判断する問題である。このとき、遠方視力凝視方向は少なくとも５度の角度だけ離間される。
【０１８４】
遠方視力凝視方向は近方視力凝視方向から少なくとも５度の角度だけ離間されることが理解される。
【０１８５】
最後に、工程ｅ）において判断された光学的概念パラメータは、読み取りタスク中の装着者の少なくとも一方の眼の移動の振幅、及び／又は読み取りタスク中の装着者の頭の移動の振幅、及び／又は読み取りタスク中の所定方向の装着者の眼の移動の振幅と、眼の移動の最大振幅との比に等しい眼−頭係数を含み得る。
【０１８６】
この目的を達成するために、工程ａ）では、装着者は所定の読み取りタスクを行う状況に置かれる。
【０１８７】
この読み取りタスクは、複数の行（例えば４又は５行）を含む少なくとも１つの段落を対象言語に依存して左から右へ又は右から左へ読むことに関わる。
【０１８８】
装着者は読む際、特にページを変える際にますます自然な位置を採ることが観測される。
【０１８９】
したがって、好ましくは、複数のページを含むテキストが使用され、より具体的には、最後の数ページを読むことに対応する測定が利用される。
【０１９０】
工程ｂ）、ｃ）、ｄ）は、装着者により選択されたフレームに向けられた眼科用レンズのうちの少なくとも１つのレンズの使用近方視力ゾーンを判断するように上述のように行われる。
【０１９１】
工程ｅ）では、前記使用ゾーンの寸法、特に水平方向に測定される使用ゾーンの幅及びレンズの垂直方向に測定される使用ゾーンの高さが判断される。
【０１９２】
読み取りタスク中の装着者の眼の水平方向及び垂直方向の移動の角度振幅が上記寸法から導出される。
【０１９３】
好ましくは、測定は、この装着者に装着されることを意図された左及び右眼科用レンズの使用ゾーンの寸法を判断するように装着者の眼毎に行われる。
【０１９４】
眼科用レンズに対する各眼の回転中心の位置は知られているため、右眼及び左眼の移動の角度振幅は上記位置から導出され得る。具体的には、例えば眼科用レンズの後面から平均２７ミリメートルに位置する眼の回転中心を考慮することが可能である。
【０１９５】
媒体上に表示され装着者により読まれるテキストの寸法及び装着者の読み取り距離（すなわち装着者の眼とこのテキストとの間の距離）は知られているため、各眼の移動の最大角度振幅は、好ましくは、対象の水平方向又は垂直方向において装着者が見るテキストの角度範囲であるとして判断される。
【０１９６】
眼の移動の最大角度振幅と眼の測定された実効移動角度振幅との差は実際、読み取り中の装着者の頭の移動の振幅に対応する。したがって、判断された使用ゾーンからこのパラメータを導出することも可能である。
【０１９７】
各眼の移動の角度振幅を各眼の移動の最大角度振幅で除算することにより、眼−頭係数と呼ばれる係数（読み取りタスク中の装着者の行動の特徴を示す）が上記パラメータから導出される。
【０１９８】
この係数は、読み取りタスク中に眼又は頭を移動する装着者の性向を定量化する。
【０１９９】
特にレンズの近方視力ゾーンを判断する際にこの係数をレンズの光学的設計に関して考慮することが重要である。
【０２００】
したがって、１に近い眼−頭係数を有する装着者は、近方視力ゾーンが大きければ近方視においてより楽になる。
【０２０１】
したがって、工程ｅ）において累進長及び／又はこの係数に依存する近方視力ゾーンの位置及び寸法を判断するための手立てがなされ得る。
【０２０２】
眼の移動の角度振幅の平均値を装着者の左眼及び右眼の角運動の平均値であるとして判断することも可能である。このとき、平均眼−頭係数を上記平均値から導出することが可能である。
【０２０３】
変形形態として、画像捕捉装置により頭の移動に続き、読み取り中の頭の移動の角度振幅を直接判断することも可能である。
【０２０４】
装着者の眼／頭の動きをこのように考慮することで、この装着者の最適視覚快適性を保証できるようにする。
【０２０５】
ここでは、本発明による方法を実施するための１つの特定の例示的装置について説明した。より一般的には、このような測定装置は、
−  画像捕捉手段と、
−  移動ターゲットであって、その位置が画像捕捉装置に関連付けられた基準系において知られている移動ターゲットを表示する手段であって、各画像捕捉時に表示手段上のターゲットの対応する位置を記録するようにプログラムされた、又はターゲットが表示手段上に所定のトリガ位置を有し、この方法を実施できるようにし得る場合に画像捕捉をトリガするようにプログラムされた手段と
を含む。
【０２０６】
この測定装置は特に、ターゲットの表示と画像の捕捉とを同期する手段を含む。
【図１】
2019194702.tif 000003
【図２】
2019194702.tif 000004
【図３】
2019194702.tif 000005
【図４】
2019194702.tif 000006
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
装着者の視覚的行動に依存して、前記装着者により選択されたフレーム（１０）を備えるように意図された累進眼科用レンズの少なくとも１つの光学的概念パラメータを判断する方法であって、
ａ）前記装着者を第１の作業距離で視覚的タスクを行う状況に置く工程と、
ｂ）前記装着者の頭の基準系における前記第１の作業距離における前記装着者の少なくとも２つの凝視方向（Ｄ１、Ｄ２）を前記視覚的タスク中に判断する工程と、
ｃ）前記フレーム（１０）又は前記フレーム（１０）を備えるように意図された眼科用レンズに関連付けられた表面（ＰＭ）又は線の、前記装着者の頭の前記基準系における相対位置を判断する工程と、
ｄ）工程ｂ）において判断された前記第１の作業距離における各凝視方向（Ｄ１、Ｄ２）について、前記第１の作業距離における前記凝視方向（Ｄ１、Ｄ２）と前記表面（ＰＭ）又は前記線との交点を判断して、前記表面（ＰＭ）又は前記線との前記交点（Ｉ１、Ｉ２、Ｉ３、Ｉ４）のマップを確立する工程と、
ｅ）前記マップから、前記求める光学的概念パラメータを導出する工程と、
を含む方法。
【外国語明細書】
2019194702000001.pdf